(57)【要約】【課題】依頼を受けた人が失敗なく気軽に操作できるようなカメラ。【解決手段】撮像依頼モードが設定された場合、現在の動作状態を停止した上、ＬＣＤ１０２へのスルー画像の表示を開始するとともに、撮像依頼モードに対応した撮像動作を実行する。すなわち、ＣＰＵ２０はレリーズスイッチ１０４の全押し（もしくは半押し）に応動してＡＥ動作及びＡＦ動作を即座に実施し（フルオートモード）、その演算結果に基づいてフォーカス用モータ１１１を制御し、フォーカスレンズ１０１ｂを合焦位置に即座に移動させるとともに、絞り用モータ１１２を制御して絞り１３１を即座に駆動する（クイックショットモード）。レリーズスイッチ１０４の全押し（もしくは半押し）に応じた焦点・絞りの即時の調節が完了すると、ただちにＣＣＤ１３２のシャッタ動作を制御し、記録用画像データの取得を行う。【選択図】  図５
2007306418.tif 000002
【特許請求の範囲】
【請求項１】
被写体から撮像レンズを介して入射した光を受光して継続的に撮像信号に変換して出力する撮像素子、前記撮像素子から出力された撮像信号を画像データに変換して出力する画像データ変換部、前記画像データの記録指示を入力する記録指示部、前記記録指示部が前記記録指示の入力を受け付けたことに応じて前記撮像素子の露光を制御する露光制御部、前記露光制御部による露光の制御に応じて前記撮像素子から出力された撮像信号の画像データを記録する記録部、および少なくとも前記記録部に記録された画像データを表示する表示部を備える撮像装置であって、
他人に撮像を依頼する旨の入力を受け付ける撮像依頼部と、
前記撮像依頼部へ他人に撮像を依頼する旨が入力されたことに応じ、他人による撮像に適した動作モードである撮像依頼モードを設定する撮像依頼モード設定部と、
前記撮像依頼モード設定部が前記撮像依頼モードを設定した場合、前記記録指示部が前記記録指示の入力を受け付けたことに応じて自動露出処理及び自動焦点調節処理を即座に実行した上で前記画像データを記録するよう前記記録部を制御する撮像制御部と、
を備える撮像装置。
【請求項２】
前記露光制御部は、前記記録指示部への単一の記録指示に応じ、少なくとも２回連続的に前記撮像素子の露光を制御し、
前記撮像素子からの撮像信号を任意に設定可能な増幅率で増幅して前記画像データ変換部に出力する増幅器と、
撮像用の閃光を発光する発光部と、
前記記録指示部への単一の記録指示に応じた前記露光制御部による前記撮像素子の連続的な露光の制御と連動し、前記発光部の閃光を非発光状態と発光状態に切り替えるよう制御する発光制御部と、
をさらに備え、
前記撮像制御部は、前記非発光状態に連動して前記増幅器の増幅率を所定の高増幅率に設定した上で前記撮像素子から出力された撮像信号の画像データと、前記発光状態に連動して前記増幅器の増幅率を所定の低増幅率に設定した上で前記撮像素子から出力された撮像信号の画像データとを記録するよう前記記録部を制御する請求項１に記載の撮像装置。
【請求項３】
前記画像データ変換部から出力された画像データに基づいて前記被写体の顔領域を検出する顔検出部をさらに備え、
前記撮像制御部は、前記撮像依頼モード設定部が前記撮像依頼モードを設定した場合、前記顔検出部が検出した顔領域について前記自動露出処理及び前記自動焦点調節処理を即座に実行する請求項１または２に記載の撮像装置。
【請求項４】
撮像の操作手順に関する説明を記述した画面である説明画面の映像信号を生成して前記表示部に出力する映像生成部をさらに備え、
前記撮像制御部は、前記撮像依頼モード設定部が前記撮像依頼モードを設定した場合、前記説明画面の生成を実行するよう前記映像生成部を制御する請求項１〜３のいずれかに記載の撮像装置。
【請求項５】
前記説明画面の使用言語を選択する言語選択部をさらに備え、
前記撮像制御部は、前記撮像の操作手順に関する説明が前記言語選択部の選択した使用言語で記述された説明画面を生成するよう前記映像生成部を制御する請求項４に記載の撮像装置。
【請求項６】
前記言語選択部は、外部からの入力操作に応じて前記使用言語を選択する請求項５に記載の撮像装置。
【請求項７】
現在位置に関する情報を受信して現在位置を取得する位置取得部をさらに備え、
前記言語選択部は、前記位置取得部の取得した現在位置に対応する言語を使用言語に選択する請求項５または６に記載の撮像装置。
【請求項８】
前記撮像依頼部は、撮像の依頼を終了する旨の入力を受け付け、
前記撮像依頼モード設定部は、前記撮像依頼部へ撮像の依頼を終了する旨が入力されたことに応じ、前記撮像依頼モードを解除し、
前記撮像制御部は、前記撮像依頼モード設定部が前記撮像依頼モードを解除した場合、前記撮像依頼モード設定部が前記撮像依頼モードを設定する以前の動作状態に復帰させる請求項１〜７のいずれかに記載の撮像装置。
【請求項９】
被写体から撮像レンズを介して入射した光を受光して継続的に撮像信号に変換して出力する撮像素子、前記撮像素子から出力された撮像信号を画像データに変換して出力する画像データ変換部、前記画像データの記録指示を入力する記録指示部、前記記録指示部が前記記録指示の入力を受け付けたことに応じて前記撮像素子の露光を制御する露光制御部、前記露光制御部による露光の制御に応じて前記撮像素子から出力された撮像信号の画像データを記録する記録部、および少なくとも前記記録部に記録された画像データを表示する表示部を備える撮像装置に用いられる撮像制御方法であって、
他人に撮像を依頼する旨の入力を受け付けるステップと、
他人に撮像を依頼する旨が入力されたことに応じ、他人による撮像に適した動作モードである撮像依頼モードを設定するステップと、
前記撮像依頼モードが設定された場合、前記記録指示部が前記記録指示の入力を受け付けたことに応じて自動露出処理及び自動焦点調節処理を即座に実行した上で前記画像データを記録するよう前記記録部を制御するステップと、
を含む撮像制御方法。
【発明の詳細な説明】
【技術分野】
【０００１】
本発明は他人への撮像依頼に応じたカメラの動作制御に関する。
【背景技術】
【０００２】
従来、カメラの操作方法を分かりやすく知らせる技術が考案されている。例えば特許文献１によると、ヘルプキーを押すと、チェックボックスの使い方の項目のマニュアルデータの該当部がＬＣＤ表示部に表示される。特許文献２によると、デジタルカメラで撮像中に操作が分からない場合には、ヘルプボタンを押下して、ＬＣＤに手引き一覧画面を表示させる。カーソルでこの画面から所望の項目を選択、決定する。これにより操作案内が開始される。操作手順に従って順次操作ボタンが自動押下すると共に、操作ボタンに内蔵されているＬＥＤが点灯して操作方法の実演を行う。
【特許文献１】特開２００４−１２８８２０号公報
【特許文献２】特開２００４−１６５７８２号公報
【発明の開示】
【発明が解決しようとする課題】
【０００３】
集合写真や旅行での記念写真を撮像する際に、他の観光客や通行人に撮像を依頼することが多い。しかし、依頼される人がカメラに詳しいことは稀で、撮像しても失敗写真が多く、撮像自体を断られることも多い。また海外では、言葉の問題から撮像を頼めない人や、撮像を頼んでもカメラの使用方法をうまく説明できないことが多い。
【０００４】
本発明はこのような問題点に鑑みてなされたもので、依頼を受けた人が失敗なく気軽に操作できるようなカメラを提供することを目的とする。
【課題を解決するための手段】
【０００５】
本発明は、被写体から撮像レンズを介して入射した光を受光して継続的に撮像信号に変換して出力する撮像素子、撮像素子から出力された撮像信号を画像データに変換して出力する画像データ変換部、画像データの記録指示を入力する記録指示部、記録指示部が記録指示の入力を受け付けたことに応じて撮像素子の露光を制御する露光制御部、露光制御部による露光の制御に応じて撮像素子から出力された撮像信号の画像データを記録する記録部、および少なくとも記録部に記録された画像データを表示する表示部を備える撮像装置に関する。
【０００６】
本発明に係る撮像装置は、他人に撮像を依頼する旨の入力を受け付ける撮像依頼部と、撮像依頼部へ他人に撮像を依頼する旨が入力されたことに応じ、他人による撮像に適した動作モードである撮像依頼モードを設定する撮像依頼モード設定部と、撮像依頼モード設定部が撮像依頼モードを設定した場合、記録指示部が記録指示の入力を受け付けたことに応じて自動露出処理及び自動焦点調節処理を即座に実行した上で画像データを記録するよう記録部を制御する撮像制御部と、を備える。
【０００７】
この発明によると、撮像装置のユーザが任意に撮像依頼モードを設定した上で、他人に撮像装置を手渡して撮像を依頼し、他人が記録指示を入力すると、自動露出処理及び自動焦点調節処理を即座に実行した上で画像データを記録する。
【０００８】
すなわち、撮像を依頼された者が、何も知らずにいきなりレリーズスイッチを全押しして記録指示を入力しても、適切な露出および焦点が即座に設定されて画像データが記録されるから、撮像を依頼された者がカメラの扱いを全く知らなくても、特別な操作なく適切な画像を得ることができる。このため、撮像装置のユーザも、他人に気軽に撮像を依頼できる。
【０００９】
露光制御部は、記録指示部への単一の記録指示に応じ、少なくとも２回連続的に撮像素子の露光を制御し、撮像素子からの撮像信号を任意に設定可能な増幅率で増幅して画像データ変換部に出力する増幅器と、撮像用の閃光を発光する発光部と、記録指示部への単一の記録指示に応じた露光制御部による撮像素子の連続的な露光の制御と連動し、発光部の閃光を非発光状態と発光状態に切り替えるよう制御する発光制御部と、をさらに備え、撮像制御部は、非発光状態に連動して増幅器の増幅率を所定の高増幅率に設定した上で撮像素子から出力された撮像信号の画像データと、発光状態に連動して増幅器の増幅率を所定の低増幅率に設定した上で撮像素子から出力された撮像信号の画像データとを記録するよう記録部を制御するとよい。
【００１０】
単一の記録指示に応じ、非閃光状態かつ所定の高増幅率で得られた画像データと、閃光状態かつ所定の低増幅率で得られた画像データの両方を記録できる。撮像を依頼された者は、周囲が暗いときに閃光撮像をするかあるいは高感度で撮像するかの判断を誤って撮像を失敗することがなく、周囲が暗いときも適切な画像を得ることができる。
【００１１】
画像データ変換部から出力された画像データに基づいて被写体の顔領域を検出する顔検出部をさらに備え、撮像制御部は、撮像依頼モード設定部が撮像依頼モードを設定した場合、顔検出部が検出した顔領域について自動露出処理及び自動焦点調節処理を即座に実行するようにしてもよい。
【００１２】
検出された顔について自動的に露出および焦点が調節されるから、撮像を依頼された者がカメラの扱いを全く知らなくても、特別な操作なしにピンぼけや露出のミスを防止でき、適切な画像を得ることができる。
【００１３】
撮像の操作手順に関する説明を記述した画面である説明画面の映像信号を生成して表示部に出力する映像生成部をさらに備え、撮像制御部は、撮像依頼モード設定部が撮像依頼モードを設定した場合、説明画面の生成を実行するよう映像生成部を制御するようにしてもよい。
【００１４】
こうすると、ユーザがいちいち撮像装置の操作手順を説明しなくても、表示部の説明画面を相手に見せるだけで、操作手順を容易に理解させることができる。
【００１５】
説明画面の使用言語を選択する言語選択部をさらに備え、撮像制御部は、撮像の操作手順に関する説明が言語選択部の選択した使用言語で記述された説明画面を生成するよう映像生成部を制御するようにしてもよい。
【００１６】
こうすると、撮像を依頼する相手の言語で操作手順を説明することができる。
【００１７】
言語選択部は、外部からの入力操作に応じて使用言語を選択するようにしてもよい。
【００１８】
こうすると、ユーザあるいは撮像を依頼された者が、所望の操作手順の言語を選択できる。
【００１９】
現在位置に関する情報を受信して現在位置を取得する位置取得部をさらに備え、言語選択部は、位置取得部の取得した現在位置に対応する言語を使用言語に選択するようにしてもよい。
【００２０】
こうすると、いちいち言語を選択しなくても、撮像装置の現在位置に応じた言語すなわち現地語で操作手順を表示できる。
【００２１】
撮像依頼部は、撮像の依頼を終了する旨の入力を受け付け、撮像依頼モード設定部は、撮像依頼部へ撮像の依頼を終了する旨が入力されたことに応じ、撮像依頼モードを解除し、撮像制御部は、撮像依頼モード設定部が撮像依頼モードを解除した場合、撮像依頼モード設定部が撮像依頼モードを設定する以前の動作状態に復帰させてもよい。
【００２２】
こうすると、ユーザが撮像の依頼後、いちいち前の動作状態に戻す操作を行わなくて済む。
【００２３】
本発明に係る撮像制御方法は、他人に撮像を依頼する旨の入力を受け付けるステップと、他人に撮像を依頼する旨が入力されたことに応じ、他人による撮像に適した動作モードである撮像依頼モードを設定するステップと、撮像依頼モードが設定された場合、記録指示部が記録指示の入力を受け付けたことに応じて自動露出処理及び自動焦点調節処理を即座に実行した上で画像データを記録するよう記録部を制御するステップと、を含む。
【発明の効果】
【００２４】
この発明によると、撮像装置のユーザが任意に撮像依頼モードを設定した上で、他人に撮像装置を手渡して撮像を依頼し、他人が記録指示を入力すると、自動露出処理及び自動焦点調節処理を即座に実行した上で画像データを記録する。
【００２５】
すなわち、撮像を依頼された者が、何も知らずにいきなり記録指示を入力しても、適切な露出および焦点が即座に設定されて画像データが記録されるから、撮像を依頼された者がカメラの扱いを全く知らなくても、特別な操作なく適切な画像を得ることができる。このため、撮像装置のユーザも、他人に気軽に撮像を依頼できる。
【発明を実施するための最良の形態】
【００２６】
以下、添付した図面を参照し本発明の好ましい実施の形態を説明する。
【００２７】
＜第１実施形態＞
図１は、本発明の好ましい実施形態に係るデジタルカメラ（以下カメラと略す）１００の正面図である。
【００２８】
カメラ１００の正面に配備されたレンズ鏡胴６０には、ズームレンズ１０１ａ及びフォーカスレンズ１０１ｂを含む撮像レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００２９】
レンズ鏡筒６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００３０】
またカメラ１００には、非撮像時には撮像レンズ１０１の前面を覆って撮像レンズ１０１と外界とを遮ることで撮像レンズ１０１を保護する状態をつくり出すとともに、撮像時には撮像レンズ１０１を外界に露出するレンズカバー６１が設けられている。
【００３１】
レンズカバー６１は開閉自在な機構で構成されており、開放状態で撮像レンズ１０１の前面を覆い、閉鎖状態で撮像レンズ１０１の前面を外界に露出する。レンズカバー６１は電源スイッチ１２１のオン／オフに連動して開放／閉鎖される。この図ではレンズカバー６１は開放状態となっている。
【００３２】
カメラ１００の上面には、中央部分にレリーズスイッチ１０４の配備されたモードダイヤル１２３と電源スイッチ１２１とが配備されており、正面には、ストロボ１０５ａ、ＡＦ補助光ランプ１０５ｂ、セルフタイマランプ１０５ｃ等が配備されている。
【００３３】
図２はカメラ１００の背面図である。カメラ１００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００３４】
カメラ１００の背面には、画像表示ＬＣＤ１０２、十字キー１２４、情報位置指定キー１２６等も設けられている。十字キー１２４は、上下左右がそれぞれ表示明るさ調節／セルフタイマ／マクロ撮像／ストロボ撮像を設定する操作系である。後述するが、十字キー１２４の下キーを押下することで、セルフタイマ回路８３の計時完了後にメインＣＰＵ２０がＣＣＤ１３２にシャッタ動作を行わせるセルフ撮像モードの設定を行える。
【００３５】
図３は第１実施形態に係るカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、オート撮像やマニュアル撮像等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００３６】
また、カメラ１００には、撮像画像や再生画像等を表示するための画像表示ＬＣＤ１０２と、操作の手助けを行なうための操作ＬＣＤ表示１０３が備えられている。
【００３７】
このカメラ１００にはレリーズスイッチ１０４が配備されている。このレリーズスイッチ１０４によって撮像の開始指示がメインＣＰＵ２０へと伝えられる。このカメラ１００では所定のメニュー画面によって撮像と再生との切り替えが自在になっている。また、カメラ１００には、コントラストＡＦ時に被写体に投光スポットを照射するための発光ダイオード（ＬＥＤ）からなるＡＦ補助光ランプ１０５ｂ、閃光を発光するストロボ１０５ａを有する閃光発光装置が配備されている。
【００３８】
また、カメラ１００には、撮像レンズ１０１と、絞り１３１と、撮像レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００３９】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００４０】
また、カメラ１００には、ＣＣＤセンサ１３２からのアナログ画像信号が表わす被写体像のホワイトバランスを合わせるとともにその被写体像の階調特性における直線の傾き（γ）を調節し、さらにアナログ画像信号を増幅する増幅率可変の増幅器を含む白バランス・γ処理部１３３が備えられている。
【００４１】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００４２】
Ａ／Ｄ変換部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００４３】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００４４】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００４５】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００４６】
測光・測距用ＣＰＵ１３７は、ズーム用モータ１１０、フォーカス用モータ１１１、絞り調節を行う絞り用モータ１１２を制御してズームレンズ１０１ａ、フォーカスレンズ１０１ｂ、絞り１３１をそれぞれ駆動することにより被写体までの距離の算出（測距）を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００４７】
なお、ズームレンズ１０１ａ、フォーカスレンズ１０１ｂ、絞り１３１、ＡＦ補助光照射角の駆動源は、ズーム用モータ１１０、フォーカス用モータ１１１、絞り用モータ１１２のような各種モータに限定する必然性はなく、アクチュエータなどであってもよい。
【００４８】
測光・測距用ＣＰＵ１３７は、レリーズスイッチ１０４が半押し（Ｓ１オン）されると、ＣＣＤ１３２によって周期的（１／30秒から１／60秒ごと）に得られる画像データ（スルー画像）に基づいて被写体の明るさの測光（ＥＶ値の算出）を行う。
【００４９】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮像に適した露出値（ＥＶ値）を算出する。
【００５０】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００５１】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００５２】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮像を行うことにより、適正な露光量で撮像されるように制御しており、面倒な露出決定の手間を省くことができる。
【００５３】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ｂを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００５４】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００５５】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１０が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００５６】
充電・発光制御部１３８は，ストロボ１０５ａを発光させるために電源電池６８からの電力の供給を受けて図示しない閃光発光用のコンデンサを充電したり、そのストロボ１０５ａの発光を制御する。
【００５７】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ（タリーランプ）１０５ｃやＡＦ補助光ランプ１０５ｂへの電流供給制御を行い、所望の発光量が所望のタイミングで得られるように制御する。
【００５８】
なお、セルフタイマランプ１０５ｃはＬＥＤで構成してもよく、ＡＦ補助光ランプ１０５ｂを構成するＬＥＤと共通にしてもよい。
【００５９】
メインＣＰＵ２０には、セルフタイマ回路８３が接続されている。メインＣＰＵ２０は、セルフ撮像モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００６０】
通信制御部１３９には、通信ポート１０７が備えられており、この通信制御部１３９は、カメラ１００により撮像された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮像を行なう通常のカメラが有するＩＳＯ感度６４，１００，２００，４００，８００，１６００等に切り替える機能を模擬した感度変更機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮像中は、外部装置との通信を停止する。
【００６１】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００６２】
バッファメモリ１３５に格納されたＹ／Ｃ信号は、圧縮・伸長＆ＩＤ抽出部１４３によって所定のフォーマットに従って圧縮された後、Ｉ／Ｆ１４４を介してメモリカード２００のようなリムーバブルメディアないしハードディスク（ＨＤＤ）７５のような内蔵型大容量記憶媒体に所定の形式（例えばExif（Exchangeable Image File Format）ファイル）で記録される。ハードディスク（ＨＤＤ）７５へのデータ記録またはハードディスク（ＨＤＤ）７５からのデータの読込みは、メインＣＰＵ２０の指令に応じてハードディスクコントローラ７４によって制御される。
【００６３】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００６４】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００６５】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００６６】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００６７】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００６８】
ＲＴＣ（Real Time Clock）１５は計時専用のチップであり、電源電池６８やＡＣアダプタ４８からの給電がオフされていてもバックアップ電池から電源供給を受けて継続的に動作する。
【００６９】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００７０】
図４は、モードダイヤル１２３を上面から見た図である。モードダイヤル１２３は、回動可能なダイヤル式のスイッチで構成されている。モードダイヤル１２３には、撮像シーンを直感的に認識可能なマークであるアイコンが印刷されている。モードダイヤル１２３は、図中矢印方向（時計回り又は反時計回り）に回転可能であり、撮像者は、撮像シーンに適したアイコンが位置合わせマーク９７の位置にくるようにモードダイヤル１２３を回転させることにより、撮像モードを選択することができる。
【００７１】
撮像モードの種類には、例えば、静止画を撮像する静止画の撮像モードと、動画を撮像する動画の撮像モードとがあり、更に静止画の撮像モードには、シャッタスピード、絞り値等の撮像条件を自動で設定するオートモード、それらの撮像条件の設定をマニュアルで行うマニュアルモード、人物撮像、風景撮像、スポーツ撮像、夜景撮像のように各撮像シーンに応じて適切なシャッタスピード、絞り値、露出値、ホワイトバランスその他の撮像条件に自動設定する各撮像モード（人物モード、ポートレート撮像モード、風景モード、スポーツモード、夜景モード）などがある。
【００７２】
この図では、アイコン１２３−１は、シャッタスピードと絞り値を自由に設定できるマニュアルモードに対応する。アイコン１２３−２は、動画を撮像する動画モードに対応する。アイコン１２３−３は、夜景を撮像するのに適した夜景モードに対応する。アイコン１２３−４は、スポーツシーン等の動きの速い被写体を撮像するのに適したスポーツモードに対応する。アイコン１２３−５は、風景を撮像するのに適した風景モードに対応する。アイコン１２３−６は、人物を撮像するのに適したポートレートモードに対応する。アイコン１２３−７は、様々な撮像シーンに適応した撮像が可能なオートモードに対応する。アイコン１２３−８は、シャッタスピード／絞り以外の各種設定ができるプログラムオートモードに対応する。アイコン１２３−９は、絞り値を設定できる絞り優先オートモードに対応する。アイコン１２３−１０は、シャッタスピードを設定できるシャッタ優先オートモードに対応する。
【００７３】
これら各撮像モードのアイコン１２３−１〜１０を位置合わせマーク９７に合わせることで各撮像モードが設定される。撮像モードが設定されると、撮像モード毎に予め規定された撮像条件に基づいて撮像が行われるとともに、各モードに応じた画像処理が行われる。
【００７４】
例えば、ポートレート撮像モードでは、主要被写体となる人物がより目立つように、絞り１３１を開放側に設定して背景をぼかし、画像処理においては、肌色がきれいに出るように肌色の色補正が重点的に行われる。また、風景モードでは、色彩がきれいに出るように彩度を上げるとともに、コントラストを強くしたり、シャープネスを上げるなどの画像処理が施される。また、マクロ撮像モードでは、花や植物の撮像が多いと考えられるため、彩度を上げる処理が行われる。夜景モードでは、周囲が夜景等の暗い場所でストロボ１０５ａを発光しない状態で撮像を行なう場合に使用される。夜景モードでは、ＣＣＤ１３２のシャッタ速度が例えば１／６０秒よりも長い露光状態となる（ロングシャッタモード）。
【００７５】
ただし、モードダイヤル１２３によって撮像モードを設定する必然性はない。例えば、画像表示ＬＣＤ１０２に表示された撮像モードのメニューから十字キー１２４と情報位置指定キー１２６の操作によって任意の撮像モードを選択できるようにすることも可能である。あるいは、図示しない単一の撮像モードを設定／解除するような操作手段（マクロ撮像ボタン、セルフタイマボタン、フラッシュボタンなど）の操作によって撮像モードを設定してもよい。
【００７６】
また、撮像モードは上述したものに限定されず、その他の所望の撮像シーンに応じた撮像モードを設けてもよい。
【００７７】
以下、図５のフローチャートを参照し、第１実施形態に係る撮像処理の流れを説明する。
【００７８】
Ｓ１では、ＯＳＤ信号発生回路１４８ａの生成したＧＵＩもしくはモードダイヤル１２３から、カメラ１００の撮像モードの設定あるいは画像の再生モードの設定を受け付けるなどしたことに応じ、ユーザ所望の動作状態となる。
【００７９】
Ｓ２では、メインＣＰＵ２０は、ＯＳＤ信号発生回路１４８ａの生成したＧＵＩ上に設けられた「撮像依頼ＯＫ」ボタンもしくは操作部１２０から、撮像依頼モードが設定されたか否かを判断する。撮像依頼モードが設定された場合、Ｓ３に移行する。なお、撮像モードに撮像依頼モード以外の各種モード（例えば人物モード）が設定されたと判断した場合、その動作モードに応じた動作を行う。
【００８０】
Ｓ３では、メインＣＰＵ２０は、Ｓ１での動作状態を停止した上、ＬＣＤ１０２へのスルー画像の表示を開始するとともに、撮像依頼モードに対応した撮像動作を実行する。すなわち、ＣＰＵ２０はレリーズスイッチ１０４の全押し（もしくは半押しでも可）に応動してＡＥ動作及びＡＦ動作を即座に実施し（フルオートモード）、その演算結果に基づいてフォーカス用モータ１１１を制御し、フォーカスレンズ１０１ｂを合焦位置に即座に移動させるとともに、絞り用モータ１１２を制御して絞り１３１を即座に駆動する（クイックショットモード）。
【００８１】
Ｓ４では、メインＣＰＵ２０は、レリーズスイッチ１０４の全押し（もしくは半押しでも可）に応じた焦点・絞りの即時の調節が完了すると、ただちにＣＣＤ１３２のシャッタ動作を制御し、記録用画像データの取得を行う。
【００８２】
Ｓ５では、メインＣＰＵ２０は、ＯＳＤ信号発生回路１４８ａの生成したＧＵＩである「もう１回撮影しますか？」ボタンもしくはモードダイヤル１２３から、撮像をもう１回繰り返すか否かの指示の入力を受け付ける。もう１回繰り返す指示が入力された場合、Ｓ３に戻る。該指示が入力されない場合、Ｓ６に移行する。
【００８３】
Ｓ６では、メインＣＰＵ２０は、撮像依頼モードを解除した上、撮像依頼モードが設定される直前の動作状態、すなわちＳ１での動作状態に復帰する。例えば、Ｓ１で設定されていた撮像モードに対応する撮像条件を再設定したり、本処理の実行開始直前に実行されていた画像再生モードなどの動作に復帰する。
【００８４】
以上の処理によると、カメラの保有者が他人に撮像を頼みたい場合は、撮像依頼モードを設定して他人に手渡すだけで済み、気軽に撮像を依頼できる。また、依頼を受ける方も、単にレリーズスイッチ１０４を単に押下（全押しまたは半押し）するだけで、自動的な焦点・露出調節が即時に行われて画像記録が実行されるから、撮像の依頼を受けた者が扱い方をよく知らなくても煩わしい設定を一切することなく適切な焦点・露出で簡単に撮像を行うことができる。
【００８５】
もし依頼者にとって満足のいく画像が得られなかったとしても、Ｓ５で再撮像を選択し、再撮像を依頼することもできるから、１回かぎりのレリーズスイッチ１０４押下動作で満足のいく画像を撮ってもらう必要はない。再撮像の依頼を受ける方としても、単にレリーズスイッチ１０４の押下を繰り返すだけで済むから、やり直しが簡単にでき、気軽に再撮像に応じることができる。
【００８６】
そして、満足のいく画像が得られ、Ｓ５で再撮像を選択しなければ、撮像依頼モードの設定以前の撮像モードに自動で復帰するから、ユーザが以前の設定状態にいちいち戻す操作が必要ない。
【００８７】
＜第２実施形態＞
図６は第２実施形態に係る撮像処理の流れを示すフローチャートである。
【００８８】
Ｓ１１〜Ｓ１３、Ｓ１５〜Ｓ１６は、それぞれＳ１〜３、Ｓ５〜Ｓ６と同様である。
【００８９】
Ｓ１４では、レリーズスイッチ１０４の１回の全押し（もしくは半押しも可）動作に応じ、白バランス・γ処理部１３３の増幅率を所定の高倍率（例えばＩＳＯ１６００）に設定した上でストロボ１０５ａを発光せずにＣＣＤ１３２にシャッタ動作を実行させ、画像を取得する。その直後（例えば約０．４５秒後）、白バランス・γ処理部１３３の増幅率を所定の低倍率（例えばＩＳＯ６４）に設定した上でストロボ１０５ａを発光してシャッタ動作を実行し、画像を取得する。
【００９０】
このようにして、レリーズスイッチ１０４の１回の押下動作（全押しまたは半押し）で、ストロボ非発光・高感度の画像とストロボ発光・低感度の画像の２カット分の画像を連続して取得する動作（高感度２枚撮り）を行う。得られた２つの画像は、メモリカード２００に記録される。
【００９１】
この動作によると、撮像の依頼を受けた者は、単にレリーズスイッチ１０４を１回押下（全押しまたは半押し）するだけで、自動で露出・焦点調節された上、ストロボ非発光・高感度の画像とストロボ発光・低感度の画像２カットを撮ることができるから、暗い撮像シーンでストロボ撮像または高感度撮像のいずれが適切かを判断・選択をしなくても、適切な画像が得られる。
【００９２】
＜第３実施形態＞
図７は第３実施形態に係る撮像処理の流れを示すフローチャートである。
【００９３】
Ｓ２１、Ｓ２２、Ｓ２４〜Ｓ２６は、それぞれＳ１１、Ｓ１２、Ｓ１４〜Ｓ１６と同様である。
【００９４】
Ｓ２３では、ＣＰＵ２０は、レリーズスイッチ１０４の全押し（半押しでも可）に応じ、スルー画内の人物の顔を認識する。顔が認識されると、認識された顔についてＡＥ動作及びＡＦ動作を行う（顔認識ＡＥ・ＡＦ）。そして、顔認識ＡＥ・ＡＦの演算結果に従い、フォーカス用モータ１１１を制御してフォーカスレンズ１０１ｂを合焦位置に即座に移動させるとともに、絞り用モータ１１２を制御して絞り１３１を即座に駆動する。
【００９５】
なお、ＣＰＵ２０の顔認識方法としては、例えば本出願人による特開平９−１０１５７９号公報「顔領域抽出方法及び複写条件決定方法」において開示された技術を適用することができる。この技術は、撮影した画像の各画素の色相が肌色の範囲に含まれるか否かを判定して肌色領域と非肌色領域とに分割すると共に、画像中のエッジを検出して画像中の各箇所をエッジ部分又は非エッジ部分に分類する。そして、肌色領域内に位置し非エッジ部分に分類された画素からなり、かつエッジ部分と判定された画素で囲まれた領域を顔候補領域として抽出し、抽出した顔候補領域が人物の顔に相当する領域かを判定し、この判定結果に基づき顔領域として認識するものである。また、この他に、特開２００３−２０９６８３号公報や特開２００２−１９９２２１号公報に記載される方法で顔領域を認識することもできる。
【００９６】
この動作によると、撮像の依頼を受けた者は、単にレリーズスイッチ１０４を押下（全押しまたは半押し）するだけで、自動的に人物の顔にピントを合わせて高感度２枚撮りで撮像でき、人物にピントが合った撮像を簡単に行える。
【００９７】
＜第４実施形態＞
図８は第４実施形態に係る撮像処理の流れを示すフローチャートである。
【００９８】
Ｓ３１〜Ｓ３２、Ｓ３４〜Ｓ３７は、それぞれＳ２１〜Ｓ２２、Ｓ２３〜Ｓ２６と同様である。
【００９９】
Ｓ３３では、ＣＰＵ２０は、撮像の依頼を引き受けた者（撮影者）向けのカメラ１００の使用方法を記述した文書、画像その他の視覚的オブジェクトを含む説明画面の映像信号の生成をＯＳＤ信号発生回路１４８ａに指示する。この指示に応じ、ＯＳＤ信号発生回路１４８ａは説明画面を生成してＬＣＤ１０２に供給する。
【０１００】
図９は説明画面の表示例を示す。ここでは、レリーズスイッチ１０４がカメラ１００の上部右側に存在する旨、およびここを押下すれば撮像が完了する旨の説明を示している。撮像を依頼する者は、口頭で操作の説明をする必要はなく、相手にＬＣＤ１０２を見るように注意を与えるだけでよい。撮影者は、説明画面を見ることで、撮像のために何をすればよいかが正確かつ容易に分かり、スムースに撮像に移行できる。
【０１０１】
なお、Ｓ３２において、ＧＵＩに設けられた「説明省略」などのボタンが押下された場合、Ｓ３３を省略し、ただちにＳ３４に移行してもよい。
【０１０２】
＜第５実施形態＞
図１０は第５実施形態に係るカメラ１００の構成図である。カメラ１００はＧＰＳ（Global Positioning System）装置１５７を備えている。ＧＰＳ装置１５７は、地球の上空を周回している複数のＧＰＳ衛生から同時に発信される電波を、内蔵されたアンテナにより受信する。そして、それぞれの衛生から発信された電波がＧＰＳ装置１５７に到達するまでの時間差を求めることによって、現在位置情報を求める。
【０１０３】
図１１は第５実施形態に係る撮像処理の流れを示すフローチャートである。
【０１０４】
Ｓ４１、Ｓ４２、Ｓ４７〜Ｓ５０は、それぞれＳ３１、Ｓ３２、Ｓ３４〜Ｓ３７と同様である。
【０１０５】
Ｓ４３では、ＣＰＵ２０は「言語の選択」メニューの映像信号を生成するようＯＳＤ信号発生回路１４８ａに指令する。ＯＳＤ信号発生回路１４８ａはＣＰＵ２０からの指令に応じ、「言語の選択」メニューの映像信号を生成し、ＬＣＤ１０２に供給する。
【０１０６】
図１２はＬＣＤ１０２に表示された「言語の選択」メニューの一例である。このメニューでは、「手動で選択」および「ＧＰＳ情報から自動で選択」の２つの項目が存在し、いずれか一方の項目を十字キー１２４などで選択できる。
【０１０７】
ＣＰＵ２０は、この「言語の選択」メニューから、「手動で選択」または「ＧＰＳ情報から自動で選択」のうちいずれの項目が選択されたかを判断する。「手動で選択」が選択された場合はＳ４４、「ＧＰＳ情報から自動で選択」が選択された場合はＳ４５に移行する。
【０１０８】
Ｓ４４では、ＣＰＵ２０は、「手動言語選択」メニューの映像信号を生成するようＯＳＤ信号発生回路１４８ａに指令する。ＯＳＤ信号発生回路１４８ａはＣＰＵ２０からの指令に応じ、「手動言語選択」メニューの映像信号を生成し、ＬＣＤ１０２に供給する。
【０１０９】
図１３はＬＣＤ１０２に表示された「手動言語選択」メニューの一例である。このメニューでは、予めＥＥＰＲＯＭ１４６に記憶された、日本語、中国語その他の各国言語が一覧表示される。この中から、ユーザあるいは撮影者は、十字キー１２４や情報位置指定キー１２６などを操作することで、いずれか１つの言語を選択できる。
【０１１０】
ＣＰＵ２０は、この「手動言語選択」メニューから選択された言語を、説明画面で使用する言語（使用言語）に設定する。
【０１１１】
Ｓ４５では、ＣＰＵ２０は、ＧＰＳ装置１５７によって現在位置を取得する。そして、ＥＥＰＲＯＭ１４６に予め記憶された、現在位置に対応する国もしくは地域で使用される言語（現地語）を規定する言語テーブルを参照し、ＧＰＳ装置１５７が取得した現在位置に対応する現地語を使用言語に設定する。
【０１１２】
なお、現在位置に対応する現地語がＥＥＰＲＯＭ１４６に記憶されていない場合、デフォルトの言語（例えば英語）を使用言語に設定する。また、現在位置に対応する現地語が複数存在する場合、その現地語を「手動言語選択」メニューに表示し、その中から特定の現地語を選択させ、選択された現地語を使用言語に設定する。あるいは、現地語が複数存在する場合、ユーザがどれを選べばよいか分からない場合もあるから、「現地語が不明」ボタンなどが押下されたことに応じ、現在位置に対応する標準言語（例えば現在位置が中国国内であれば北京語）を使用言語に設定してもよい。
【０１１３】
Ｓ４６では、ＣＰＵ２０は、Ｓ４４またはＳ４５で設定された使用言語で記述された説明画面を生成するようＯＳＤ信号発生回路１４８ａに指令する。ＯＳＤ信号発生回路１４８ａはＣＰＵ２０からの指令に応じ、設定された使用言語で説明画面の映像信号を生成し、ＬＣＤ１０２に供給する。
【０１１４】
図１４は一例として、使用言語が英語の説明画面を示している。
【０１１５】
このように、ユーザは、「手動で選択」および「手動言語選択」メニューで十字キー１２４などを操作し、所望の言語で説明画面を表示し、これを撮影者に示して操作手順を理解させることができる。
【０１１６】
なお、図示はしないが、「撮像依頼ＯＫ」ボタンや「もう１回撮影しますか？」ボタンも、使用言語で記述することが好ましい。
【０１１７】
ユーザが自分で言語を選択する手間を省きたい場合は、「ＧＰＳ情報から自動で選択」項目を選ぶことで、カメラ１００の現在位置に対応した現地語で説明画面を表示できる。これにより、撮像を依頼する者と撮影者との間で言語が違っていても、撮影者の理解できる言語でカメラ１００の操作説明ができ、ユーザが海外旅行に行ったときも現地の者に気軽に撮像を依頼できる。
【図面の簡単な説明】
【０１１８】
【図１】デジタルカメラの正面図
【図２】デジタルカメラの背面図
【図３】第１〜４実施形態に係るデジタルカメラのブロック構成図
【図４】モードダイヤルの上面図
【図５】第１実施形態に係る撮像処理の流れを示すフローチャート
【図６】第２実施形態に係る撮像処理の流れを示すフローチャート
【図７】第３実施形態に係る撮像処理の流れを示すフローチャート
【図８】第４実施形態に係る撮像処理の流れを示すフローチャート
【図９】説明画面の一例を示す図
【図１０】第５実施形態に係るデジタルカメラのブロック構成図
【図１１】第５実施形態に係る撮像処理の流れを示すフローチャート
【図１２】「言語の選択」メニューの一例を示す図
【図１３】「手動言語選択」メニューの一例を示す図
【図１４】、使用言語が英語の説明画面の一例を示す図
【符号の説明】
【０１１９】
２０：メインＣＰＵ、８３：セルフタイマ回路、１０１：撮像レンズ、１０５ａ：ストロボ、１３２：ＣＣＤ、１３４：Ａ／Ｄ変換部、１５０：ＡＦ検出部、１５１：ＡＥ演算部、１５７：ＧＰＳ装置
【図１】
2007306418.tif 000003
【図２】
2007306418.tif 000004
【図３】
2007306418.tif 000005
【図４】
2007306418.tif 000006
【図５】
2007306418.tif 000007
【図６】
2007306418.tif 000008
【図７】
2007306418.tif 000009
【図８】
2007306418.tif 000010
【図９】
2007306418.tif 000011
【図１０】
2007306418.tif 000012
【図１１】
2007306418.tif 000013
【図１２】
2007306418.tif 000014
【図１３】
2007306418.tif 000015
【図１４】
2007306418.tif 000016